(57)【要約】      （修正有）【課題】発電電力より、発電機の回転負荷による消費電力上昇分の電力分が多くなり、省エネには、成らない。【解決手段】電動機は、回転させると、発電機になる、従って、電動機２台をカップリングにより、繋ぎ、一方を発電機、もう一方を電動機として、使用した場合、省エネ発動機となる。鉄心１又は、磁石４（永久磁石又は電磁石）どちらか一方をねじることにより、発電機のコギングを抑止する。鉄心１を磁石４（永久磁石又は電磁石）で挟み込むことにより、鉄心にかかる、磁力が、内側の磁石４（永久磁石又は電磁石）と外側の磁石６（永久磁石又は電磁石）で、等しくなるようにする、事により、回転負荷を低減させる。鉄心を外側もしくは、内側に、増やす事により、事により、カップリングの接続による、機械損失の低減及び、サイス゛のコンハ゜クト化を図る。【選択図】図８
2013255294.tif 000002
【特許請求の範囲】
【請求項１】
鉄心又は磁石（永久磁石又は電磁石）のどちらか一方を
ねじることにより、コギングを低減する方法。
【請求項２】
鉄心を磁石（永久磁石又は電磁石）で挟み込むことにより、
回転負荷を低減する方法。
【請求項３】
鉄心を増やすことにより、外部の電動機（モーター）を省く事による、
機械損失の低減及び、装置のコンハ゜クト化する方法。
【発明の詳細な説明】
【技術分野】
【０００１】
本発明は、発電機を回転させる時の回転抵抗を軽減する方法である。
【背景技術】
【０００２】
図１のように、発動機と発電機をカップリングにて繋ぎ、発動機を回すと、発電機で、発電し、バッテリーを充電すると、発動機の省エネ化が図れる。
しかし、発電機を回転させることによる負荷（回転抵抗）が高いと、発動機の消費電力は充電電力を上回り、省エネにならない。
【０００３】
そこで、回転抵抗を減らすことにより、発電しながら、発動機を回す事ができれば、省エネモーター（発動機）ができる。
【０００４】
まず、発電機のコギングを低減する方法として、磁石（永久磁石又は電磁石）又は、鉄心をねじる事を提案する。
例えば、２極３心のモーターの場合、停止位置は、６カ所あり、この場合、３６０°÷６で、６０°毎に、停止位置が、あることになる。
図２は、磁石と、鉄心の位置関係を示した図で、図３は、図２の磁石と鉄心を切り開いた状態で、軸を０°〜６０°回転した時の位置関係を示した、簡易図である。
図３より、鉄心１は、０°と６０°、１５°と４５°それぞれ、磁力が釣り合い、鉄心２の１５°と鉄心３の４５°、鉄心２の３０°と鉄心３の３０°、鉄心２の４５°と鉄心３の１５°、鉄心２の６０°と鉄心３の０°それそれ、磁力が釣り合う。
鉄心２の０°と、鉄心３の６０°は、N極とS極の中心であるため、磁力が釣り合う。
鉄心１の３０°は、S極の中心であるため、磁力が釣り合う。
従って、磁石又は、鉄心のどちらか一方を６０°ねじることにより、コギングを抑止できる。
図４は、磁石と鉄心を切り開いた状態かつ、鉄心を６０°ねじった状態の簡易図で、この図からわかるように、各鉄心にかかる、回転磁力が釣り合う事がわかる。
また、図５は、磁石と鉄心を切り開いた状態かつ、磁石を６０°ねじった状態の簡易図である。
【０００５】
次に、磁石による、回転負荷の低減方法について、鉄心を磁石で、挟み込む事を提案する。
図６の様に、磁石で鉄心を挟み込むことにより、鉄心は、上の磁石に引きつけられる力と、下の磁石に引きつけられる力が等しい場合、回転負荷が無くなる。
図７は、図６を正面から見た図である。
【０００６】
最後に、発電機と発動機を分けることによる、機械損失を低減する方法を提案する。
上記、回転負荷を低減するために、磁石が２つ使用されているので、その内側、もしくは、外側に、鉄心を設け、この鉄心に電力を供給することにより、電動機として、動作させる。
これにより、カップリングによる、機械損失が低減できる。
図８は、図７の外側に鉄心を設けた図である。
【図面の簡単な説明】
【０００７】
【図１】発電機と発動機連結図（側面図）１：発動機（モーター）２：発電機３：カップリング
【図２】磁石と鉄心の位置関係図（正面の断面図）１：鉄心１２：鉄心２３：鉄心３４：磁石
【図３】磁石と鉄心の位置関係の展開図０°から６０°回転（正面の断面図）１：鉄心１２：鉄心２３：鉄心３４：磁石
【図４】磁石と鉄心の位置関係の展開図（鉄心６０°ひねり  側面の断面）１：鉄心１２：鉄心２３：鉄心３４：磁石５：磁極境界線
【図５】磁石と鉄心の位置関係の展開図（磁石６０°ひねり  側面の断面）１：鉄心１２：鉄心２３：鉄心３４：磁石５：磁極境界線
【図６】２つの磁石と鉄心の位置関係の展開図（磁石で、鉄心を挟み込んだ図  正面の断面図）１：鉄心１２：鉄心２３：鉄心３４：内側磁石５：外側磁石
【図７】磁石で、鉄心を挟み込んだ図  （正面の断面図）１：鉄心１２：鉄心２３：鉄心３４：内側磁石５：軸６：外側磁石
【図８】鉄心を追加した図（正面の断面図）１：内側鉄心１２：内側鉄心２３：内側鉄心３４：内側磁石５：軸６：外側磁石７：外側鉄心１８：外側鉄心２９：外側鉄心３
【図１】
2013255294.tif 000003
【図２】
2013255294.tif 000004
【図３】
2013255294.tif 000005
【図４】
2013255294.tif 000006
【図５】
2013255294.tif 000007
【図６】
2013255294.tif 000008
【図７】
2013255294.tif 000009
【図８】
2013255294.tif 000010
【手続補正書】
【提出日】平成24年7月26日(2012.7.26)
【手続補正１】
【補正対象書類名】明細書
【補正対象項目名】全文
【補正方法】変更
【補正の内容】
【発明の詳細な説明】
【技術分野】
【０００１】
本発明は、発電機を回転させる時の回転抵抗を軽減する方法である。
【背景技術】
【０００２】
図1のように、発動機と発電機をカップリングにて繋ぎ、発動機を回すと、発電機で、発電し、バッテリーを充電すると、発動機の省エネ化が図れる。
しかし、発電機を回転させることによる負荷（回転抵抗）が高いと、発動機の消費電力は上昇し、省エネ化にならない。
【０００３】
そこで、回転抵抗を減らすことにより、発電しながら、発動機を回す事ができれば、省エネモーター（発動機）ができる。
【０００４】
まず、発電機のコギングを低減する方法として、磁石（永久磁石又は電磁石）又は、鉄心をねじる事を提案する。
例えば、2極3心のモーターの場合、停止位置は、6カ所あり、この場合、360°÷6で、60°毎に、停止位置が、あることになる。
図2は、磁石と、鉄心の位置関係を示した図で、図3は、図2の磁石と鉄心を切り開いた状態の位置関係を示した、簡易図である。
図3より、鉄心１は、0°と60°、15°と45°それぞれ、磁力が釣り合い、鉄心2の15°と鉄心3の30°、鉄心2の30°と鉄心3の30°、鉄心2の45°と鉄心3の15°、鉄心2の60°それそれ、磁力が釣り合う。
鉄心2の0°と、鉄心3の60°は、N極とS極の中心であるため磁力が釣り合う。
従って、磁石又は、鉄心のどちらか一方を60°ねじることにより、コギングを抑止できる。
図4は、磁石と鉄心を切り開いた状態かつ、鉄心を60°ねじった状態の簡易図で、この図からわかるように、各鉄心にかかる、回転磁力が釣り合う事がわかる。
【０００５】
次に、磁石による、回転負荷の低減方法について、鉄心を磁石で、挟み込む、又は、磁石を鉄心で、挟み込む、事を提案する。
図6の様に、磁石で鉄心を挟み込むことにより、鉄心は、上の磁石に引きつけられる力と、下の磁石に引きつけられる力が等しい場合、回転負荷が無くなる。
また、図10の様に、鉄心で、磁石を挟み込むことにより、磁石は、上の鉄心に引きつけられる力と、下の鉄心に引きつけられる、力が、等しい場合、回転負荷が無くなる。
【０００６】
最後に、発電機と発動機を分けることによる、機械損失を低減する方法を提案する。
上記、回転負荷を低減するために、磁石が2つ使用されているので、その内側、もしくは、外側に、鉄心を設け、この鉄心に電力を供給することにより、電動機として、動作させる。
これにより、カップリングによる、機械損失が低減できる。
【図面の簡単な説明】
【０００７】
【図１】発電機と発動機連結図1：発動機（モーター）2：発電機3：カップリング
【図２】磁石と鉄心の位置関係図（正面）1：鉄心12：鉄心23：鉄心34：磁石
【図３】磁石と鉄心の位置関係の展開図0°から60°回転（正面）1：鉄心12：鉄心23：鉄心34：磁石
【図４】磁石と鉄心の位置関係の展開図（鉄心60°ひねり  側面の断面）1：鉄心12：鉄心23：鉄心34：磁石5：磁極境界線
【図５】磁石と鉄心の位置関係の展開図（磁石60°ひねり  側面の断面）1：鉄心12：鉄心23：鉄心34：磁石5：磁極境界線
【図６】2つの磁石と鉄心の位置関係の展開図（磁石で、鉄心を挟み込んだ図  正面）1：鉄心12：鉄心23：鉄心34：内側磁石5：外側磁石
【図７】磁石で、鉄心を挟み込んだ図  （正面）1：鉄心12：鉄心23：鉄心34：内側磁石5：軸6：外側磁石
【図８】鉄心を追加した図（正面）1：内側鉄心12：内側鉄心23：内側鉄心34：磁石5：軸6：外側鉄心17：外側鉄心28：外側鉄心3
【図９】鉄心で、磁石を挟み込んだ図  （正面）1：内側鉄心12：内側鉄心23：内側鉄心34：内側磁石5：軸6：外側磁石7：外側鉄心18：外側鉄心29：外側鉄心3
【図１０】2つの鉄心と磁石の位置関係の展開図（鉄心で、磁石を挟み込んだ図  正面）1：鉄心12：鉄心23：鉄心34：鉄心45：鉄心56：鉄心67：磁石
【手続補正２】
【補正対象書類名】特許請求の範囲
【補正対象項目名】全文
【補正方法】変更
【補正の内容】
【特許請求の範囲】
【請求項１】
鉄心又は磁石（永久磁石又は電磁石）をねじることにより、
コギングを低減する方法。
【請求項２】
鉄心を磁石（永久磁石又は電磁石）で挟み込む、または、
鉄心で磁石（永久磁石又は電磁石）を挟み込む、ことにより、
回転負荷を低減する方法。
【請求項３】
鉄心を増やすことにより、外部の電動機（モーター）を省く
事による、機械損失の低減及び、装置のコンパクト化する方法。
【手続補正４】
【補正対象書類名】図面
【補正対象項目名】図７
【補正方法】変更
【補正の内容】
【図７】
2013255294.tif 000011
【手続補正５】
【補正対象書類名】図面
【補正対象項目名】図９
【補正方法】追加
【補正の内容】
【図９】
2013255294.tif 000012
【手続補正６】
【補正対象書類名】図面
【補正対象項目名】図１０
【補正方法】追加
【補正の内容】
【図１０】
2013255294.tif 000013